(57)【要約】【課題】アーム部の操作で容易に装着対象壁にピンの挿入および引抜きができることで、専用部品および工具類等を使用することなく装着および離脱を可能とする。【解決手段】任意な形状体の基部１の端部に先尖状を有する止着ピン４を設け、また、その反対側端側部にハンガー等を吊り下げることができるフック部３を設ける。さらに、基部中央部付近に、装着対象壁まで貫通した孔に摺動自在な先尖状を有する支持ピン５を付帯したアーム部２を回転および摺動自在に連結したハンガー掛け装置。【選択図】図２
2005282848.tif 000002
【特許請求の範囲】
【請求項１】
任意な形状体の基部の端部に先尖状を有する止着ピンを設け、また、その反対側端側部にハンガー等を吊り下げることができるフック部を設ける。さらに、基部中央部付近に、先尖状を有する支持ピンを付帯したアーム部を回転および摺動自在に連結し、そのアーム操作で、装着対象壁に支持ピンの挿入および引抜きができることで、簡単にして容易に装着および離脱ができることを特徴としたハンガー掛け装置。
【発明の詳細な説明】
【技術分野】
【０００１】  本発明は、石膏ボードの室内壁に容易に装着および離脱機能を持った、ハンガー掛けに関するものである。
【背景技術】
【０００２】  従来、壁付けハンガー掛けの取付け方法は、ネジ類や釘類で留めるものが主流で、装着対象物が柱および板張壁等の強固なものに限定されている。【０００３】  近年の室内壁は、石膏ボード壁が主流となり、図９に示すものが使われている。このネジ留めハンガー掛け２１は、石膏ボード等装着対象壁２４にネジ類等で直接に装着できないため、はじめに石膏ボード等装着対象壁２４に工具等を使用し孔を開け、その孔に石膏ボード専用ネジ受け部材２２を挿入し、そこにネジ留めハンガー掛け２１をネジ２３で留め使用するものである。【０００４】  しかし、この装着方法は大変煩雑で、時には、その種の工事業者に装着を依頼しなくてはならないこともあった。また、装着したハンガー掛けが、不要になったときや装着位置を移動するときの取外しは、石膏ボード等装着対象壁２４にネジ受け部材２２またはその孔跡が残ってしまうという欠点があった。【０００５】  この改善策として、ハンガー掛けをネジ類で留めていたものを、針釘等に替え装着する方法がある。図１０はこの方法による装着実装形態を示すための説明図である。針釘留めハンガー掛け２５の中央部に開けられた孔に、針釘受け２６を挿入する。また、針釘受け２６に複数の針孔があり、そこへ針釘２７を通して石膏ボード等装着対象壁２４に工具等を使用して打込み、針釘留めハンガー掛け２５を装着し、針釘２７と針釘受け２６を隠すためのカバー２８を覆い使用するものである。【０００６】  しかし、この方法でも、工具類等の使用は不可欠となる。また、装着に至るまでの部品が詳細かつ複数であるために装着、離脱および移動が煩雑となる。
【発明の開示】
【発明が解決しようとする課題】
【０００７】  解決しようとする問題点は、前述のように、図９の取付けにおいては、専用部材および工具類等が必要となり、場合によっては、その種の工事業者への依頼が必要となることもある。【０００８】  また、図１０においては、部品が詳細かつ複数あり、工具等を使用した取付けの煩雑さが、障害になっている。【０００９】  さらに、取外しにおいても煩雑な作業を要し、図９の取付け方法においては、壁に補修を要するほどの取付け跡が残る欠点がある。
【課題を解決するための手段】
【００１０】  上記目的を達成するために、本発明のハンガー掛け装置は、専用の部材および工具類等を使用することなく、アームの操作により装着および離脱が簡単にして容易にできることを最も主要な特徴とする。
【発明の効果】
【００１１】  本発明のハンガー掛け装置は、図２において、アーム先端２ａを力点とすると、枢軸６が支点、係止軸８が作用点となり、支持ピン５を石膏ボード等装着対象壁へ挿入する入力力量が、アーム利用により軽減される。【００１２】  また、支持ピン５は係止軸８に付帯するため石膏ボード等装着対象壁に挿入のみならず引抜きも可能とし、取付け位置の変更や一時利用する場合の装着、離脱が簡単にして容易なため繰り返し利用も可能にしたという利点がある。【００１３】  また、離脱した後の石膏ボード等装着対象壁への支持ピン５および止着ピン４の穴跡は画鋲穴程度であり、石膏ボード等装着対象壁の補修を不要とした。
【実施例】
【００１４】  本発明の実施例を図面に基づき説明する。図１、図２および図３において、基部１は樹脂類および金属材等にて形成加工するものであり、先尖状を有する止着ピン４は、その加工工程において植設される。また、アーム部２、フック部３、枢軸６および係止軸８も樹脂類および金属材等にて形成加工するものである。さらに、支持ピン５において、係止軸に回転自在な円筒体も、樹脂類および金属材等にて形成加工するもので、その円筒形体外周部に先尖状を有する支持ピン５をその加工工程において植設される。また、止着ピン４および支持ピン５は、金属材にて先尖状を形成加工するものを使用する。【００１５】  さらに詳しくは、任意な形状の基部１の端部に先尖状を有する任意数の止着ピン４を形成加工工程において植設させ、また、その反対側端側部にハンガー等を吊るすことのできるフック部３を設ける。さらに、基部１の中央部付近に枢軸６を設け、また、任意な形状のアーム部２の端部に細長直線形状の枢軸受け孔７を設け、枢軸６により回動および摺動自在にして連結される。また、アーム部２の枢軸受け孔７の隣接に係止軸８を設け、その係止軸８中央部に任意な円筒体を回転自在にして貫通し、その外周部に先尖状を有する支持ピン５を植設したものを設ける。さらに、枢軸６の隣接に任意な角度を有する細長直線形状の係止軸誘導孔９を係止軸８の両側に設ける。また、基部１の両側係止軸誘導孔９の中央に係止軸誘導孔９の細長直線孔の中心線延長上に支持ピン５が摺動自在となる貫通孔１０を設けることで構成された装置である。また、アーム部が操作前は図２の位置に、操作後は図３の位置で石膏ボード等装着対象壁より支持ピン５が自然に抜けることのない強さのバネ類または弾性体を枢軸６または支持ピン５に取り付けることもできる。【００１６】  本発明装置は、室内石膏ボード等装着対象壁面に止着ピン４を挿入し（図２）、さらに、アーム先端２ａへ対象壁方向に入力操作することで、係止軸８が細長直線の係止軸誘導孔９を摺動して、支持ピン５が係止軸誘導孔９の有する角度で石膏ボード等装着対象壁に挿入され、対象壁面に固定される（図３）。これにより、衣服類等装着されたハンガー等をフック部に吊り下げることができる。また、アーム先端２ａを装着時と逆方向に入力操作することで、支持ピン５が石膏ボード等装着対象壁より引抜かれることで、本発明装置を取り外すことができる。【００１７】  図４および図５では、樹脂類および金属材等にて、任意な柱状体の押釦１１の端側部外周面に任意形状の鍔を設け、また、その柱状体の端側部中心に先尖状を有する止着ピン４を形成加工工程において植設する。さらに、基部１の端部に押釦１１が格納でき、かつ、摺動可能な中空柱状体を設ける。また、その中空柱状体の底部中心に止着ピン４が摺動自在な貫通孔を設ける。また、押釦１１が装着前は図４の位置に、装着時は図５の位置で石膏ボード等装着対象壁より止着ピン４が自然に抜けることのない強さのバネ類または弾性体１２を止着ピン外周に設けることで構成された装置である。【００１８】  対象壁に当て支い（図４）、押釦１１を装着壁方向に入力操作することにより、止着ピン４は一定角度で対象壁に挿入される（図５）。これにより��装着希望位置を正確かつ損傷することなく操作できる。また、未使用時には、先尖状を有する止着ピン４が格納されているので、収納性および安全性が確保される。【００１９】  図６では、樹脂類および金属材等にて、任意な円筒体の外周部に先尖状を有する止着ピン４を形成加工工程において植設する。また、それらを軸にて回転自在にして設ける。これにより、未使用時は図６の止着ピン格納時４ａの位置に、使用時は図６の止着ピン４の位置に可倒することができる。【００２０】  これにより、未使用時には、先尖状を有する止着ピン４が格納されているので、収納性および安全性が確保される。【００２１】  図７および図８では、支持ピン５、貫通孔１１および係止軸誘導孔９の増加を示したものである。また、構成および構造は、図１〜図３と同様とする。これにより、フック部３への重負荷を可能とすることができる。
【産業上の利用可能性】
【００２２】  本発明は、室内壁のどの位置にも装着できるので、衣服ハンガー等以外にも、額縁、時計および室内装飾品等を掛けることが可能となる。【００２３】  また、支持ピン５の増加は、より重量物に対応でき、所要数およびフック部３の形状変更による利用で、小物程度を置く棚板等の支持材およびハンガーパイプ等の受材にも適用できる。【００２４】  意匠等を考慮すれば、ハンガー等を吊り下げていない時でも、装飾用途として利用できる。
【図面の簡単な説明】
【００２５】
【図１】ハンガー掛け装置の実施例を示す正面図である。
【図２】ハンガー掛け装置の装着中の実施例を示す、図１のＡ−Ａ線断面図である。
【図３】図２の装着時の実施例を示す断面図である。
【図４】ハンガー掛け装置の装着前の実施例を示す断面図である。
【図５】図４の装着時の実施例を示す断面図である。
【図６】ハンガー掛け装置の実施例を示す断面図である。
【図７】ハンガー掛け装置の実施例を示す一部分断面図である。
【図８】図７のＢ−Ｂ線断面図である。
【図９】従来ネジ留めハンガー掛けの断面図である。
【図１０】従来針釘留めハンガー掛けの断面図である。
【符号の説明】
【００２６】  １  基部
２  アーム部
２ａ  アーム先端
３  フック部
４  止着ピン
４ａ  止着ピン格納時
５  支持ピン
６  枢軸
７  枢軸受け孔
８  係止軸
９  係止軸誘導孔
１０  貫通孔
１１  押釦
１２  弾性体
２１  ネジ留めハンガー掛け
２２  石膏ボード用ネジ受け部材
２３  ネジ
２４  石膏ボード等装着対象壁
２５  針釘留めハンガー掛け
２６  針釘受け
２７  針釘
２８  カバー
【図１】
2005282848.tif 000003
【図２】
2005282848.tif 000004
【図３】
2005282848.tif 000005
【図４】
2005282848.tif 000006
【図５】
2005282848.tif 000007
【図６】
2005282848.tif 000008
【図７】
2005282848.tif 000009
【図８】
2005282848.tif 000010
【図９】
2005282848.tif 000011
【図１０】
2005282848.tif 000012